【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
画像信号を印刷装置で用いる色材の色材信号に変換する処理に用いられる色分解テーブルであって、前記画像信号によって規定される格子点に対応させて前記色材信号として格子点データを格納した色分解テーブルを作成する画像処理装置において、
前記色分解テーブルを構成する格子点について格子点データを求めるテーブルデータ作成手段と、
該テーブルデータ作成手段によって作成された格子点データに対して平滑化処理を行う平滑化手段と、
該平滑化手段によって平滑化された格子点データのうち、前記印刷装置において印刷媒体に付与される色材量が当該印刷媒体に対して所定値を超える格子点データについて、当該格子点データを小さくすべく補正する補正手段であって、当該所定値を超える格子点データを有する格子点およびその周囲の格子点の格子点データについて前記補正を行う補正手段と、
を具えたことを特徴とする画像処理装置。
【請求項２】
前記補正手段は、前記所定値を超える格子点データを有する格子点およびその周囲の格子点の格子点データに対する補正率を、当該所定値を超える格子点の補正率が最大で、他の格子点ではそれより補正率が小さいことを特徴とする請求項１に記載の画像処理装置。
【請求項３】
画像信号を印刷装置で用いる色材の色材信号に変換する処理に用いられる色分解テーブルであって、前記画像信号によって規定される格子点に対応させて前記色材信号として格子点データを格納した色分解テーブルを作成する画像処理装置において、
前記色分解テーブルを構成する格子点について格子点データを求めるテーブルデータ作成手段と、
該テーブルデータ作成手段によって作成された格子点データのうち、前記印刷装置において印刷媒体に付与される色材量が当該印刷媒体に対して過剰であると判断される所定値を超える格子点データがあるとき、当該格子点データを小さくすべく前記テーブルデータ作成手段によって作成された格子点データ全体について補正する補正手段と、
該補正手段によって補正された格子点データに対して平滑化処理を行う平滑化手段と、
を具えたことを特徴とする画像処理装置。
【請求項４】
前記補正手段によって補正された格子点データについて前記所定値を超える格子点データがあるか否かを判断する判断手段をさらに具え、前記補正手段は、補正率の初期値にパラメータをかけた補正率で補正を行うものであり、前記判断手段が前記所定値を超える格子点データがあると判断する都度、前記初期値にパラメータをかけた補正率で補正を行うことを特徴とする請求項３に記載の画像処理装置。
【請求項５】
前記テーブルデータ作成手段は、前記画像信号によって規定される立方体の頂点を結ぶ所定のライン上の格子点について格子点データを求め、当該立方体における前記所定のライン上の格子点以外の格子点については、前記所定のラインで形成されるとともに前記立方体を分割して形成されるそれぞれの立体について当該ライン上の格子点データを用いた補間演算によって格子点データを求めることを特徴とする請求項１ないし４のいずれかに記載の画像処理装置。
【請求項６】
画像信号を印刷装置で用いる色材の色材信号に変換する処理に用いられる色分解テーブルであって、前記画像信号によって規定される格子点に対応させて前記色材信号として格子点データを格納した色分解テーブルを作成するための画像処理方法において、
前記色分解テーブルを構成する格子点について格子点データを求めるテーブルデータ作成工程と、
該テーブルデータ作成工程によって作成された格子点データに対して平滑化処理を行う平滑化工程と、
該平滑化工程によって平滑化された格子点データのうち、前記印刷装置において印刷媒体に付与される色材量が当該印刷媒体に対して所定値を超える格子点データについて、当該格子点データを小さくすべく補正する補正工程であって、当該所定値を超える格子点データを有する格子点およびその周囲の格子点の格子点データについて前記補正を行う補正工程と、
を有したことを特徴とする画像処理方法。
【請求項７】
前記補正工程は、前記所定値を超える格子点データを有する格子点およびその周囲の格子点の格子点データに対する補正率を、当該所定値を超える格子点の補正率が最大で、他の格子点ではそれより補正率が小さいことを特徴とする請求項６に記載の画像処理方法。
【請求項８】
画像信号を印刷方法で用いる色材の色材信号に変換する処理に用いられる色分解テーブルであって、前記画像信号によって規定される格子点に対応させて前記色材信号として格子点データを格納した色分解テーブルを作成する画像処理方法において、
前記色分解テーブルを構成する格子点について格子点データを求めるテーブルデータ作成工程と、
該テーブルデータ作成工程によって作成された格子点データのうち、前記印刷装置において印刷媒体に付与される色材量が当該印刷媒体に対して所定値を超える格子点データがあるとき、当該格子点データを小さくすべく前記テーブルデータ作成工程によって作成された格子点データ全体について補正する補正工程、
該補正工程によって補正された格子点データに対して平滑化処理を行う平滑化工程と、
を有したことを特徴とする画像処理方法。
【請求項９】
前記補正工程によって補正された格子点データについて前記所定値を超える格子点データがあるか否かを判断する判断工程をさらに具え、前記補正工程は、補正率の初期値にパラメータをかけた補正率で補正を行うものであり、前記判断工程が前記所定値を超える格子点データがあると判断する都度、前記初期値にパラメータをかけた補正率で補正を行うことを特徴とする請求項８に記載の画像処理方法。
【請求項１０】
前記テーブルデータ作成工程は、前記画像信号によって規定される立方体の頂点を結ぶ所定のライン上の格子点について格子点データを求め、当該立方体における前記所定のライン上の格子点以外の格子点については、前記所定のラインで形成されるとともに前記立方体を分割して形成されるそれぞれの立体について当該ライン上の格子点データを用いた補間演算によって格子点データを求めることを特徴とする請求項６ないし９のいずれかに記載の画像処理方法。
【請求項１１】
画像信号を印刷装置で用いる色材の色材信号に変換する処理に用いられる色分解テーブルであって、前記画像信号によって規定される格子点に対応させて前記色材信号として格子点データを格納した色分解テーブルを作成する処理をコンピュータに実行させるプログラムであって、当該コンピュータを、
前記色分解テーブルを構成する格子点について格子点データを求めるテーブルデータ作成手段、
該テーブルデータ作成手段によって作成された格子点データに対して平滑化処理を行う平滑化手段、および
該平滑化手段によって平滑化された格子点データのうち、前記印刷装置において印刷媒体に付与される色材量が当該印刷媒体に対して所定値を超える格子点データについて、当該格子点データを小さくすべく補正する補正手段であって、当該所定値を超える格子点データを有する格子点およびその周囲の格子点の格子点データについて前記補正を行う補正手段、
として機能させることを特徴とするプログラム。
【請求項１２】
画像信号を印刷装置で用いる色材の色材信号に変換する処理に用いられる色分解テーブルであって、前記画像信号によって規定される格子点に対応させて前記色材信号として格子点データを格納した色分解テーブルを作成する処理をコンピュータに実行させるプログラムであって、当該コンピュータを、
前記色分解テーブルを構成する格子点について格子点データを求めるテーブルデータ作成手段、
該テーブルデータ作成手段によって作成された格子点データのうち、前記印刷装置において印刷媒体に付与される色材量が当該印刷媒体に対して所定値を超える格子点データがあるとき、当該格子点データを小さくすべく前記テーブルデータ作成手段によって作成された格子点データ全体について補正する補正手段、および
該補正手段によって補正された格子点データに対して平滑化処理を行う平滑化手段、
として機能させることを特徴とするプログラム。
【手続補正２】
【補正対象書類名】明細書
【補正対象項目名】０００９
【補正方法】変更
【補正の内容】
【０００９】
そのために本発明では、画像信号を印刷装置で用いる色材の色材信号に変換する処理に用いられる色分解テーブルであって、前記画像信号によって規定される格子点に対応させて前記色材信号として格子点データを格納した色分解テーブルを作成する画像処理装置において、前記色分解テーブルを構成する格子点について格子点データを求めるテーブルデータ作成手段と、該テーブルデータ作成手段によって作成された格子点データに対して平滑化処理を行う平滑化手段と、該平滑化手段によって平滑化された格子点データのうち、前記印刷装置において印刷媒体に付与される色材量が当該印刷媒体に対して所定値を超える格子点データについて、当該格子点データを小さくすべく補正する補正手段であって、当該所定値を超える格子点データを有する格子点およびその周囲の格子点の格子点データについて前記補正を行う補正手段と、を具えたことを特徴とする。
【手続補正３】
【補正対象書類名】明細書
【補正対象項目名】００１０
【補正方法】変更
【補正の内容】
【００１０】
他の形態では、画像信号を印刷装置で用いる色材の色材信号に変換する処理に用いられる色分解テーブルであって、前記画像信号によって規定される格子点に対応させて前記色材信号として格子点データを格納した色分解テーブルを作成する画像処理装置において、前記色分解テーブルを構成する格子点について格子点データを求めるテーブルデータ作成手段と、該テーブルデータ作成手段によって作成された格子点データのうち、前記印刷装置において印刷媒体に付与される色材量が当該印刷媒体に対して過剰であると判断される所定値を超える格子点データがあるとき、当該格子点データを小さくすべく前記テーブルデータ作成手段によって作成された格子点データ全体について補正する補正手段と、該補正手段によって補正された格子点データに対して平滑化処理を行う平滑化手段と、を具えたことを特徴とする。
【手続補正４】
【補正対象書類名】明細書
【補正対象項目名】００１１
【補正方法】変更
【補正の内容】
【００１１】
また、画像信号を印刷装置で用いる色材の色材信号に変換する処理に用いられる色分解テーブルであって、前記画像信号によって規定される格子点に対応させて前記色材信号として格子点データを格納した色分解テーブルを作成するための画像処理方法において、前記色分解テーブルを構成する格子点について格子点データを求めるテーブルデータ作成工程と、該テーブルデータ作成工程によって作成された格子点データに対して平滑化処理を行う平滑化工程と、該平滑化工程によって平滑化された格子点データのうち、前記印刷装置において印刷媒体に付与される色材量が当該印刷媒体に対して所定値を超える格子点データについて、当該格子点データを小さくすべく補正する補正工程であって、当該所定値を超える格子点データを有する格子点およびその周囲の格子点の格子点データについて前記補正を行う補正工程と、を有したことを特徴とする。
【手続補正５】
【補正対象書類名】明細書
【補正対象項目名】００１２
【補正方法】変更
【補正の内容】
【００１２】
他の形態では、画像信号を印刷方法で用いる色材の色材信号に変換する処理に用いられる色分解テーブルであって、前記画像信号によって規定される格子点に対応させて前記色材信号として格子点データを格納した色分解テーブルを作成する画像処理方法において、前記色分解テーブルを構成する格子点について格子点データを求めるテーブルデータ作成工程と、該テーブルデータ作成工程によって作成された格子点データのうち、前記印刷装置において印刷媒体に付与される色材量が当該印刷媒体に対して所定値を超える格子点データがあるとき、当該格子点データを小さくすべく前記テーブルデータ作成工程によって作成された格子点データ全体について補正する補正工程、該補正工程によって補正された格子点データに対して平滑化処理を行う平滑化工程と、を有したことを特徴とする。
【手続補正６】
【補正対象書類名】明細書
【補正対象項目名】００２６
【補正方法】変更
【補正の内容】
【００２６】
本実施形態では、先ず、図５に示すように、立方体の８つの頂点を結ぶラインＷ−Ｃ，Ｍ，Ｙ，Ｒ，Ｇ，Ｂ，Ｂ−Ｋ、Ｍ−Ｒ，Ｒ−Ｙ，Ｙ−Ｇ，Ｇ−Ｃ，Ｍ−Ｂ，Ｂ−ＣおよびＷ−Ｋについて（太い実線で示されるライン）、そのライン上にある格子点の格子点データを求め、次に、これらの格子点以外の格子点の格子点データを補間演算によって求める。ここで、インク色分解処理部１０２の入力データのビット数を８とするとき、Ｗ，Ｃ，Ｍ，Ｙ，Ｒ，Ｇ，Ｂ，Ｋ、各頂点の座標は、
Ｗ＝（２５５，２５５，２５５）であり、ホワイト、即ちプリントペーパーの色を示す、
Ｃ＝（０，２５５，２５５）であり、シアン原色を示す、
Ｍ＝（２５５，０，２５５）であり、マゼンタ原色を示す、
Ｙ＝（２５５，２５５，０）であり、イエロー原色を示す、
Ｒ＝（２５５，０，０）であり、レッド原色を示す、
Ｇ＝（０，２５５，０）であり、グリーン原色を示す、
Ｂ＝（０，０，２５５）であり、ブルー原色を示す、
Ｋ＝（０，０，０）であり、ブラック、すなわちプリンタによる最暗点を示す。
【手続補正７】
【補正対象書類名】明細書
【補正対象項目名】００５１
【補正方法】変更
【補正の内容】
【００５１】
ステップＳ９４の打込量補正処理がなされた色分解テーブルに対して、ステップＳ９５の平滑化処理を行う。この処理は図６のステップＳ６３と同様に行う。次に、ステップＳ９６で、平滑化処理後のテーブルについて、テーブル全体の格子点データを印刷媒体の最大打込量と比べ、打込量をオーバーしている格子点データを有した格子点があるかどうかチェックする。打込量がオーバーするところがなければ、本処理を終了し、打込量オーバーするところがあるのであれば、ステップＳ９４に戻る。ステップＳ９７では、ステップＳ９６でチェックした結果を使って、色分解テーブルに打込量オーバーしている格子点を記録する。
【手続補正８】
【補正対象書類名】図面
【補正対象項目名】図９
【補正方法】変更
【補正の内容】
【図９】
2005353011.tif 000001